(57)【要約】      （修正有）【課題】二重のリミット機能を有するスーツケースロックを提供する。【解決手段】スーツケースロックは、ロックカバー及びロックフックを含み、ロックカバーの空洞の内部にロック芯装置３及びロック芯装置３に直接制御されるかんぬきブロック４が設置され、ロック芯装置３の上端は押しブロック５を貫通して設置され、ロックカバーの上表面に所定の角度回転できるリミットロック角６が設置され、ロックフックにリミットロック角６が通り抜けることができるロック角スルーホール７が設置され、ロック角スルーホール７の端部にリミット斜面８が設置される。リミットロック角６の設置がスーツケースロックに二重のリミット機能を持たせ、リミットロック角６とロックフックとが交叉又は垂直である状態を成すことにより、鍵によって、正確にロックを解除しても、ロックフックとロックカバーとは分離できない。【選択図】図２
0003216066.tif 000002
【実用新案登録請求の範囲】
【請求項１】
二重のリミット機能を有するスーツケースロックであって、ロックカバー及びロックフックを含み、前記ロックカバーの空洞の内部にロック芯装置及び該ロック芯装置に直接制御されるかんぬきブロックが設置され、前記ロック芯装置の上端は押しブロックを貫通して設置され、前記ロックカバーの上表面に所定の角度回転できるリミットロック角が設置され、前記ロックフックに前記リミットロック角が通り抜けることができるロック角スルーホールが設置され、該ロック角スルーホールの端部にリミット斜面が設置されることを特徴とする二重のリミット機能を有するスーツケースロック。
【請求項２】
前記リミットロック角の一つの端部が前記リミット斜面に突き当たる時に、前記ロック芯装置が鍵によって正確にロックを解除して、前記押しブロックを押して、該押しブロックを水平に移動させ、前記ロック芯装置が前記かんぬきブロックを水平に移動させ、前記かんぬきブロックが前記ロックフックから離れて、前記ロックフックを上方に持ち上げることができ、前記ロックフックが前記ロックカバーから離れて、鍵によってロック解除を実現して、
前記リミットロック角が前記ロック角スルーホールを通り抜けて、且つ所定の角度回転する時には、前記ロック芯装置が鍵によって正確にロックを解除して、前記押しブロックを押して、前記押しブロックを水平に移動させ、前記ロック芯装置が前記かんぬきブロックを水平に移動させ、前記かんぬきブロックが前記ロックフックから離れても、前記ロックフックが前記リミットロック角に制限されるので、該ロックフックが前記ロックカバーから離れることができないことを特徴とする、請求項１に記載の二重のリミット機能を有するスーツケースロック。
【請求項３】
前記リミットロック角がL型であり、該リミットロック角の一つの端部にロック角固定盤が接続され、該ロック角固定盤の縁に扇形のストッパが設置され、該ロック角固定盤が前記ロックカバーの空洞の内部に設置されることを特徴とする、請求項２に記載の二重のリミット機能を有するスーツケースロック。
【請求項４】
前記ロックカバーの上平面の縁に環状の突起が設置され、該環状の突起は前記リミットロック角に対応する箇所に切り込みが設置されることを特徴とする、請求項３に記載の二重のリミット機能を有するスーツケースロック。
【請求項５】
前記リミットロック角の回転角度が９０°であることを特徴とする、請求項４に記載の二重のリミット機能を有するスーツケースロック。
【請求項６】
前記ロックカバーの上平面にロックフックスルーホールが設置され、前記ロックフックの一つの端部に前記ロックフックスルーホールに貫入でき、前記かんぬきブロックにロックされるブロックが設置されることを特徴とする、請求項４に記載の二重のリミット機能を有するスーツケースロック。
【請求項７】
前記かんぬきブロックの端部に弧状斜面が設置されることを特徴とする、請求項６に記載の二重のリミット機能を有するスーツケースロック。
【請求項８】
前記ロックカバーの上平面に前記押しブロックを取り付けることに用いる押しブロック穴が設置され、該押しブロック穴の両側の縁にそれぞれ対応するスライドレールが設置されることを特徴とする、請求項６に記載の二重のリミット機能を有するスーツケースロック。
【請求項９】
前記ロックフックが固定板及び活動板を含み、前記固定板の側端に係止溝が設置され、前記固定板の底部に基板が設置され、該基板の側端にスプリングスロットが設置され、前記活動板の一つの端部に前記係止溝とドッキングするバンプが設置され、該バンプがスプリングによって、前記係止溝に固定されることを特徴とする、請求項６に記載の二重のリミット機能を有するスーツケースロック。
【請求項１０】
前記ロックカバーは、上蓋及び底殻を含み、前記上蓋と前記底殻が結合して、空洞が形成され、前記上蓋の内表面に前記かんぬきブロックが水平に滑ることができるかんぬきブロックスライドが設置されることを特徴とする、請求項６に記載の二重のリミット機能を有するスーツケースロック。
【考案の詳細な説明】
【技術分野】
【０００１】
本考案は、スーツケースロックに関し、特に二重のリミット機能を有するスーツケースロックに関するものである。
【背景技術】
【０００２】
旅行する時には、安全で便利であるために、スーツケースには通常スーツケースファスナーのパスワードロックが設置され、スーツケースファスナーのパスワードロックが数字パスワード又は鍵でパスワードロックのフックの運動を制御することによって、パスワードロックのフックにスーツケースファスナーと係合又は分離させ、スーツケースのロック又はアンロックを実現する。スーツケースファスナーのパスワードロックは、操作が便利であり、安全性及び信頼性が高く、適用範囲が非常に広い。
【０００３】
スーツケースファスナーのパスワードロックは、通常、外力を加えることができるプッシュシステムが設置され、プッシュシステムが高速に、便利に、自動的に、パスワードロックのロック又はアンロックを実現できる。
【考案の概要】
【考案が解決しようとする課題】
【０００４】
しかし、従来のスーツケースロックのリミット機能は良くなく、さらに、アンロックの状態のもとで、ケースの上蓋を自動的に開いている状態にするので、安全性が高くない。
【０００５】
前記問題を解決するために、本考案は、構造が簡単であり、二重のリミット機能を有するスーツケースロックを提供する。
【課題を解決するための手段】
【０００６】
二重のリミット機能を有するスーツケースロックは、ロックカバー及びロックフックを含み、ロックカバーの空洞の内部にロック芯装置及びロック芯装置に直接制御されるかんぬきブロックが設置され、ロック芯装置の上端は押しブロックを貫通して設置され、ロックカバーの上表面に所定の角度回転できるリミットロック角が設置され、ロックフックにリミットロック角が通り抜けることができるロック角スルーホールが設置され、ロック角スルーホールの端部にリミット斜面が設置される。
【０００７】
リミットロック角の一つの端部がリミット斜面に突き当たる時に、ロック芯装置が鍵によって正確にロックを解除して、押しブロックを押して、押しブロックを水平に移動させ、ロック芯装置がかんぬきブロックを水平に移動させ、かんぬきブロックがロックフックから離れて、ロックフックを上方に持ち上げることができ、ロックフックがロックカバーから離れて、鍵によってロック解除を実現する。リミットロック角がロック角スルーホールを通り抜けて、且つ所定の角度回転する時には、ロック芯装置が鍵によって正確にロックを解除して、押しブロックを押して、押しブロックを水平に移動させ、ロック芯装置がかんぬきブロックを水平に移動させ、かんぬきブロックがロックフックから離れても、ロックフックがリミットロック角に制限されるので、ロックフックがロックカバーから離れることができない。
【０００８】
リミットロック角はL型であり、リミットロック角の一つの端部にロック角固定盤が接続され、ロック角固定盤の縁に扇形のストッパが設置され、ロック角固定盤がロックカバーの空洞の内部に設置される。
【０００９】
ロックカバーの上平面の縁に環状の突起が設置され、環状の突起はリミットロック角に対応する箇所に切り込みが設置される。
【００１０】
リミットロック角の回転角度は９０°である。
【００１１】
ロックカバーの上平面にロックフックスルーホールが設置され、ロックフックの一つの端部にロックフックスルーホールに貫入でき、かんぬきブロックにロックされるブロックが設置される。
【００１２】
かんぬきブロックの端部に弧状斜面が設置される。
【００１３】
ロックカバーの上平面に押しブロックを取り付けることに用いる押しブロック穴が設置され、押しブロック穴の両側の縁にそれぞれ対応するスライドレールが設置される。
【００１４】
ロックフックは固定板及び活動板を含み、固定板の側端に係止溝が設置され、固定板の底部に基板が設置され、基板の側端にスプリングスロットが設置され、活動板の一つの端部に係止溝とドッキングするバンプが設置され、バンプがスプリングによって、係止溝に固定される。
【００１５】
ロックカバーは、上蓋及び底殻を含み、上蓋と底殻が結合して、空洞が形成され、上蓋の内表面にかんぬきブロックが水平に滑ることができるかんぬきブロックスライドが設置される。
【００１６】
従来の技術と比べて、所定の角度回転できるリミットロック角が設置されるので、リミットロック角がロック角スルーホールを通り抜けて、且つ所定の角度回転する時に、ロック芯装置が鍵によって正確にロックを解除して、押しブロックを押して、押しブロックを水平に移動させ、ロック芯装置がかんぬきブロックを水平に移動させ、かんぬきブロックがロックフックから離れても、リミットロック角が９０°回転しているので、リミットロック角とロックフックとが交叉して、ロックフックがリミットロック角に制限され、リミットロック角がロック角スルーホールを通り抜けることができないので、ロックフックとロックカバーとが分離できない。リミットロック角をロック角スルーホールに平行である方向に回転する時に、リミットロック角がロック角スルーホールを通り抜けて、ロックフックとロックカバーとを分離させ、ロック解除を実現する。リミットロック角の設置がスーツケースロックに二重のリミット機能を持たせ、リミットロック角とロックフックとが交叉又は垂直である状態を成すことにより、鍵によって、正確にロックを解除しても、ロックフックとロックカバーとは分離することができない。
【図面の簡単な説明】
【００１７】
以下、図面及び具体的な実施形態を参照して、本考案について詳しく説明する。
【図１】本考案の二重のリミット機能を有するスーツケースロックの使用状態の構造を示す図である。
【図２】本考案の二重のリミット機能を有するスーツケースロックの分解状態の構造を示す図である。
【図３】本考案のリミットロック角が回転していない状態の構造を示す図である。
【考案を実施するための形態】
【００１８】
以下、図面及び具体的な実施形態を参照して、本考案について詳しく説明する。
【００１９】
図１、図２及び図３を参照すると、二重のリミット機能を有するスーツケースロックは、ロックカバー１及びロックフック２を含む。ロックカバー１の空洞の内部にロック芯装置３及びロック芯装置３に直接制御されるかんぬきブロック４が設置される。ロック芯装置３の上端は押しブロック５を貫通して設置され、ロックカバー１の上表面に所定の角度回転できるリミットロック角６が設置され、ロックフック２にリミットロック角６が通り抜けることができるロック角スルーホール７が設置される。ロック角スルーホール７の端部にリミット斜面８が設置される。
【００２０】
好ましくは、リミットロック角６が回転していない時に、リミットロック角６の一つの端部がリミット斜面８に突き当たる。ロック芯装置３が鍵によって正確にロックを解除した後、押しブロック５を押して、押しブロック５を水平に移動させ、ロック芯装置３がかんぬきブロック４を水平に移動させ、かんぬきブロック４がロックフック２から離れて、ロックフック２を上方に持ち上げることができ、ロックフック２がロックカバー１から離れて、鍵によってロック解除を実現する。
【００２１】
リミットロック角６がロック角スルーホール７を通り抜けて、且つ所定の角度回転する時に、ロック芯装置３が鍵によって正確にロックを解除して、押しブロック５を押して、押しブロック５を水平に移動させ、ロック芯装置３がかんぬきブロック４を水平に移動させ、かんぬきブロック４がロックフック２から離れても、ロックフック２がリミットロック角６に制限されるので、ロックフック２はロックカバー１から離れることができない。
【００２２】
好ましくは、リミットロック角６はL型であり、リミットロック角６の一つの端部にロック角固定盤９が接続され、ロック角固定盤９の縁に扇形のストッパ１０が設置され、ロック角固定盤９がロックカバー１の空洞の内部に設置される。
【００２３】
好ましくは、ロックカバー１の上平面の縁に環状の突起１１が設置され、環状の突起１１はリミットロック角６に対応する箇所に切り込み１２が設置される。
【００２４】
好ましくは、リミットロック角６の回転角度は９０°である。リミットロック角６が９０°回転することで、リミットロック角６とロックフック２とが交叉又は垂直である状態を成す。ロックフック２がリミットロック角６に制限され、リミットロック角６がロック角スルーホール７を通り抜けることができないので、ロックフック２がロックカバー１から離れることができない。
【００２５】
好ましくは、ロックカバー１の上平面にロックフックスルーホール１３が設置され、ロックフック２の一つの端部にロックフックスルーホール１３に貫入でき、かんぬきブロック４にロックされるブロック１４が設置される。
【００２６】
好ましくは、かんぬきブロック４の端部に弧状斜面１５が設置され、弧状斜面１５がブロック１４の嵌入することに便利である。
【００２７】
ロックカバー１の上平面に押しブロック５を取り付けることに用いる押しブロック穴１６が設置され、押しブロック穴１６の両側の縁にそれぞれ対応するスライドレール１７が設置される。
【００２８】
好ましくは、ロックフック２は固定板２１及び活動板２２を含む。固定板２１の側端に係止溝２３が設置され、固定板２１の底部に基板２４が設置され、基板２４の側端にスプリングスロット２５が設置される。活動板２２の一つの端部に係止溝２３とドッキングするバンプ２６が設置され、バンプ２６がスプリングによって、係止溝２３に固定される。ブロック１４及びロック角スルーホール７も活動板２２に設置される。
【００２９】
好ましくは、ロックカバー１は、上蓋１０１及び底殻１０２を含む。上蓋１０１と底殻１０２が結合して、空洞が形成される。上蓋１０１の内表面にかんぬきブロック４が水平に滑ることができるかんぬきブロックスライド１０３が設置される。
【００３０】
本考案のスーツケースロックは、所定の角度回転できるリミットロック角が設置されるので、リミットロック角がロック角スルーホールを通り抜けて、且つ所定の角度回転する時に、ロック芯装置が鍵によって正確にロックを解除して、押しブロックを押して、押しブロックを水平に移動させ、ロック芯装置がかんぬきブロックを水平に移動させ、かんぬきブロックがロックフックから離れても、リミットロック角が９０°回転しているので、リミットロック角とロックフックとが交叉して、ロックフックがリミットロック角に制限され、リミットロック角がロック角スルーホールを通り抜けることができないので、ロックフックとロックカバーとは分離できない。リミットロック角をロック角スルーホールに平行である方向に回転する時には、リミットロック角がロック角スルーホールを通り抜けて、ロックフックとロックカバーとを分離させ、ロック解除を実現する。リミットロック角の設置がスーツケースロックに二重のリミット機能を持たせ、リミットロック角とロックフックとが交叉又は垂直である状態を成すことにより、鍵によって、正確にロックを解除しても、ロックフックとロックカバーとは分離することができない。
【００３１】
上記は、本考案の具体的な実施形態についての詳しい説明である。当業者は、本考案の実質及び精神から遊離しない範囲において、様々な変形や変更を行なうことができ、これらは本考案の保護範囲に属する。
【符号の説明】
【００３２】
１      ロックカバー
２      ロックフック
３      ロック芯装置
４      かんぬきブロック
５      押しブロック
６      リミットロック角
７      ロック角スルーホール
８      リミット斜面
９      ロック角固定盤
１０    扇形のストッパ
１１    環状の突起
１２    切り込み
１３    ロックフックスルーホール
１４    ブロック
１５    弧状斜面
１６    押しブロック穴
１７    スライドレール
２１      固定板
２２      活動板
２３      係止溝
２４      基板
２５      スプリングスロット
２６      バンプ
１０１    上蓋
１０２    底殻
１０３    かんぬきブロックスライド
【図１】
0003216066.tif 000003
【図２】
0003216066.tif 000004
【図３】
0003216066.tif 000005